(57)【要約】【課題】商品収納庫の前面開口を内扉によって確実に閉塞することによって商品収納庫の気密性を向上させることのできる自動販売機を提供する。【解決手段】各ヒンジ部材３１を、下部側内扉１５が商品収納庫１１の前面を閉鎖している状態において、ヒンジ部材３１の前面側が係止孔３２ａの下部前面側の縁部の幅方向外側（図４のａ点）に接触するとともに、ヒンジ部材３１の背面側が係止孔３２ａの下部背面側の縁部の幅方向内側（図４のｂ点）に接触するように、先端側が自動販売機本体１０の幅方向に対して所定角度Ａの傾斜角度で幅方向外側の斜め前方に向かって延びるように設けたので、閉鎖状態の下部側内扉１５の幅方向及び前後方向のがたつきを無くすことによって商品収納庫１１の前面開口の下部を下部側内扉１５によって確実に閉塞することができ、商品収納庫１１の気密性を向上させることが可能となる。【選択図】図４
2010086113.tif 000002
【特許請求の範囲】
【請求項１】
前面が開口された自動販売機本体と、自動販売機本体内に設けられ、販売する商品を収納する商品収納庫と、商品収納庫の前面開口を開閉自在に覆う内扉と、内扉の幅方向一端側を自動販売機本体に回転自在に支持する支持機構とを備えた自動販売機において、
前記支持機構を、内扉の幅方向一端側から延びるように設けられ、自動販売機本体側に係合可能な係合部を有する板状のヒンジ部材と、自動販売機本体の内側の側壁に設けられ、ヒンジ部材の先端部を挿入可能で、係合部と上下方向に係合することによりヒンジ部材を係止する係止孔を有する板状の係止部材とから構成し、
ヒンジ部材を、内扉が商品収納庫の前面開口を閉鎖している状態において、ヒンジ部材の前面が係止孔の前面側の縁部に接触するとともに、ヒンジ部材の背面が係止孔の背面側の縁部に接触するように、端部が斜め前方に延びるように形成した
ことを特徴とする自動販売機。
【発明の詳細な説明】
【技術分野】
【０００１】
本発明は、販売する商品が収納される商品収納庫の前面開口部を開閉自在に覆う内扉を備えた自動販売機に関するものである。
【背景技術】
【０００２】
従来、この種の自動販売機としては、前面が開口された自動販売機本体と、自動販売機本体内に設けられ、販売する商品を収納する商品収納庫と、商品収納庫の前面開口を開閉自在に覆う内扉と、内扉の幅方向一端側を自動販売機本体に回転自在に支持する支持機構とを備えた自動販売機において、前記支持機構を、内扉側から幅方向外側に延びるように設けられ、幅方向外側の端部が自動販売機本体側に係合可能な係合部を有する板状のヒンジ部材と、自動販売機本体の内側の側壁に設けられ、ヒンジ部材の端部を挿入可能で、係合部と上下方向に係合することによりヒンジ部材を係止する係止孔を有する板状の係止部材とから構成したものが知られている（例えば、特許文献１参照）。
【特許文献１】特開２００４−３０４３６号公報
【発明の開示】
【発明が解決しようとする課題】
【０００３】
前記自動販売機では、内扉の開閉動作を可能とするために、ヒンジ部材の板厚に対して係止孔の幅寸法が大きく形成されている。また、前記自動販売機では、内扉が商品収納庫の前面開口を閉塞しているとき、ヒンジ部材が係止孔に対してほぼ垂直に挿入された状態となっている。即ち、内扉が商品収納庫の前面開口を閉塞しているときには、係止孔とヒンジ部材との間に前後方向及び幅方向にがたつきを生じるため、商品収納庫の前面開口を内扉によって確実に閉塞することができず、商品収納庫の気密性を保持することができない。
【０００４】
本発明の目的とするところは、商品収納庫の前面開口を内扉によって確実に閉塞することによって商品収納庫の気密性を向上させることのできる自動販売機を提供することにある。
【課題を解決するための手段】
【０００５】
本発明は前記目的を達成するために、前面が開口された自動販売機本体と、自動販売機本体内に設けられ、販売する商品を収納する商品収納庫と、商品収納庫の前面開口を開閉自在に覆う内扉と、内扉の幅方向一端側を自動販売機本体に回転自在に支持する支持機構とを備えた自動販売機において、前記支持機構を、内扉の幅方向一端側から延びるように設けられ、自動販売機本体側に係合可能な係合部を有する板状のヒンジ部材と、自動販売機本体の内側の側壁に設けられ、ヒンジ部材の先端部を挿入可能で、係合部と上下方向に係合することによりヒンジ部材を係止する係止孔を有する板状の係止部材とから構成し、ヒンジ部材を、内扉が商品収納庫の前面開口を閉鎖している状態において、ヒンジ部材の前面が係止孔の前面側の縁部に接触するとともに、ヒンジ部材の背面が係止孔の背面側の縁部に接触するように、端部が斜め前方に延びるように形成している。
【０００６】
これにより、閉鎖状態の内扉の幅方向及び前後方向のがたつきが規制されることから、商品収納庫の前面開口が内扉によって確実に閉塞される。
【発明の効果】
【０００７】
本発明によれば、閉鎖状態の内扉の幅方向及び前後方向のがたつきを無くすことによって商品収納庫の前面開口を内扉によって確実に閉塞することができるので、商品収納庫の気密性を向上させることが可能となる。
【発明を実施するための最良の形態】
【０００８】
図１乃至図５は本発明の一実施形態を示すもので、図１は外扉を開放した状態の自動販売機の全体斜視図、図２は支持機構を示す自動販売機の要部斜視図、図３は支持機構を示す自動販売機の要部分解斜視図、図４は支持機構を示す下部側内扉を閉鎖した状態の自動販売機の要部平面図、図５は支持機構を示す下部側内扉を開放した状態の自動販売機の要部平面図である。
【０００９】
この自動販売機は、前面側が開口された自動販売機本体１０と、自動販売機本体１０の前面開口を開閉する外扉２０とを備え、外扉２０の幅方向一端側が自動販売機本体１０の前面側の幅方向一端側に回転自在に支持されている。
【００１０】
自動販売機本体１０の内部には、上面側、底面側、背面側及び左右両側面側が断熱壁によって囲まれた商品収納庫１１が設けられ、商品収納庫１１は断熱性の仕切板１２によって幅方向に仕切られている。仕切板１２によって仕切られた商品収納庫１１内には、販売する商品が蛇行状の商品通路に収納される周知のサーペンタイン式の商品収納コラム１３が前後方向及び幅方向に複数設けられている。
【００１１】
商品収納庫１１の前面には、それぞれ断熱性を有し、商品収納庫１１の前面上部側を開閉するための上部側内扉１４と、商品収納庫１１の前面下部側を開閉するための下部側内扉１５とが設けられている。また、下部側内扉１５の下部には、商品収納庫１６側と外扉２０側とを連通する商品搬出口１５ａが左右方向に並ぶように複数設けられている。各商品搬出口１５ａには、上部に商品搬出口１５ａを開閉する搬出扉１５ｂが回転自在に支持されており、前方に案内される商品に押されることにより前方に回転して商品搬出口１５ａを開放し、商品を商品取出口２１に搬出するようになっている。また、商品収納庫１１の前部の下方には、商品収納庫１１内において生じる結露水を受容するドレン受け１６が設けられている。
【００１２】
上部側内扉１４は、外扉２０の背面側に取り付けられており、外扉２０を開閉することにより、上部側内扉１４によって商品収納庫１１の前面上部が開閉されるようになっている。
【００１３】
また、下部側内扉１５は、幅方向一端側が支持機構３０によって自動販売機本体１０の幅方向一端側に回転自在に支持されている。
【００１４】
支持機構３０は、下部側内扉１５側に設けられ、自動販売機本体１０側に係合可能な係合部３１ａを有する上下一対のヒンジ部材３１と、自動販売機本体１０側に設けられ、係合部３１ａと係合することによりヒンジ部材３１を係止するための上下一対の係止孔３２ａを有する板状の係止部材３２とから構成されている。
【００１５】
各ヒンジ部材３１は、商品収納庫１１の下部を閉鎖した状態の下部側内扉１５の幅方向一端側から幅方向外側の斜め前方に向かって延びる金属板であり、斜め前方に延びる先端側の下側を上下方向に切り欠くことにより係合部３１ａが形成されている。また、ヒンジ部材３１は、係合部３１ａの基端側が下部側内扉１５側に向かって斜め下方に延びるように傾斜部３１ｂが設けられている。
【００１６】
係止部材３２は、自動販売機本体１０内の幅方向一端側の側壁を上下方向に延びるように設けられ、上下方向に亘って自動販売機本体１０の内面との間に空間が形成されている。また、係止部材３２には、ヒンジ部材３１に対応する箇所にそれぞれ係止孔３２ａが設けられている。係止孔３２ａは、上下方向に延びるように設けられ、下部側の開口幅が上部側の開口幅に対して狭く形成されている。係止孔３２ａは、開口幅が大きく形成された上部にヒンジ部材３１の先端側が挿入可能に設けられ、下部側の縁部にヒンジ部材３１の係合部３１ａが係合するようになっている。
【００１７】
ここで、各ヒンジ部材３１は、下部側内扉１５が商品収納庫１１の前面を閉鎖している状態において、ヒンジ部材３１の前面側が係止孔３２ａの下部前面側の縁部の幅方向外側（図４のａ点）に接触するとともに、ヒンジ部材３１の背面側が係止孔３２ａの下部背面側の縁部の幅方向内側（図４のｂ点）に接触するように、先端側が自動販売機本体１０の幅方向に対して角度Ａをなす傾斜角度で幅方向外側の斜め前方に向かって延びるように設けられている。所定角度Ａは、下部側内扉１５を全開に開放した場合における開放角度Ｂの半分の角度に設けられている。また、係止孔３２ａの下部側の幅寸法は、下部側内扉１５の開放角度Ｂを満たす最小寸法に形成されている。
【００１８】
以上のように構成された自動販売機において、自動販売機本体１０に下部側内扉１５を取り付ける場合には、下部側内扉１５の各ヒンジ部材３１をそれぞれ係止部材３２の各係止孔３２ａの上部に挿入し、ヒンジ部材３１の係合部３１ａを係止孔３２ａの下部側の縁部に係合させる。また、自動販売機本体１０から下部側内扉１５を取り外す場合には、下部側内扉１５を上方に持ち上げてヒンジ部３１の係合部３１ａと係止孔３２ａの下部側の縁部との係合を解除し、ヒンジ部３１を係止孔３２から抜き出す。
【００１９】
また、下部側内扉１５が商品収納庫１１の前面下部を閉鎖している状態において、各ヒンジ部材３１は、ヒンジ部材３１の前面側が係止孔３２ａの下部前面側の縁部の幅方向外側（図４のａ点）に接触するとともに、ヒンジ部材３１の背面側が係止孔３２ａの下部背面側の縁部の幅方向内側（図４のｂ点）に接触している。これにより、下部側内扉１５は幅方向及び前後方向のがたつきが規制され、下部側内扉１５によって商品収納庫１１の前面開口の下部が確実に閉塞される。
【００２０】
また、下部側内扉１５を全開にした場合において、各ヒンジ部材３１は、ヒンジ部材３１の前面側が係止孔３２ａの下部前面側の縁部の幅方向内側（図５のｃ点）に接触するとともに、ヒンジ部材３１の背面側が係止孔３２ａの下部背面側の縁部の幅方向外側（図５のｄ点）に接触する。このとき、下部側内扉１５の開放角度は、角度Ａの二倍の角度Ｂとなる。
【００２１】
このように、本実施形態の自動販売機によれば、各ヒンジ部材３１を、下部側内扉１５が商品収納庫１１の前面を閉鎖している状態において、ヒンジ部材３１の前面側が係止孔３２ａの下部前面側の縁部に接触するとともに、ヒンジ部材３１の背面側が係止孔３２ａの下部背面側の縁部に接触するように、先端側が自動販売機本体１０の幅方向に対して所定角度Ａの傾斜角度で幅方向外側の斜め前方に向かって延びるように設けたので、閉鎖状態の下部側内扉１５の幅方向及び前後方向のがたつきを無くすことによって商品収納庫１１の前面開口の下部を下部側内扉１５によって確実に閉塞することができ、商品収納庫１１の気密性を向上させることが可能となる。
【図面の簡単な説明】
【００２２】
【図１】本発明の一実施形態を示す外扉を開放した状態の自動販売機の全体斜視図
【図２】支持機構を示す自動販売機の要部斜視図
【図３】支持機構を示す自動販売機の要部分解斜視図
【図４】支持機構を示す下部側内扉を閉鎖した状態の自動販売機の要部平面図
【図５】支持機構を示す下部側内扉を開放した状態の自動販売機の要部平面図
【符号の説明】
【００２３】
１０…自動販売機本体、１１…商品収納庫、１５…下部側内扉、３０…支持機構、３１…ヒンジ部材、３１ａ…係合部、３２…係止部材、３２ａ…係止孔。
【図１】
2010086113.tif 000003
【図２】
2010086113.tif 000004
【図３】
2010086113.tif 000005
【図４】
2010086113.tif 000006
【図５】
2010086113.tif 000007